(57)【要約】【課題】四つ止めとはテーラーカラーの衿とラペルの縫い合わせ先（きざみ）部分、裏ラペル、表ラペル、表衿、裏衿の四ヶ所をしっかり止めせ、合理的、または、理にかなった作業であり、かつ見た目にも、美しく、丈夫に縫い合わせた状態になり、服作りのポイントになる個所である。しかし、従来その説明は目安となる寸法的な約束事がなく難しい個所として敬遠されがちである。【解決手段】四つ止め縫いにする為に本体の方をくるくる回転させながら針は縫い目線に対して９０°又は平行に進めていき、製図線に添ってその線を基準とし針を９０°又は平行に進める事によって布目に抵抗なく美しく、丈夫な「四つ止め縫いのテーラードジャケット」を提供できた。【選択図】図４
2015057523.tif 000002
【特許請求の範囲】
【請求項１】
表衿と裏衿と表ラペルと裏ラペルからなるテーラードジャケットの刻み部四ヶ所を手縫い糸イで止め合わせるテーラードジャケット衿刻み部の四つ止め縫い作業方法において、
手縫い針は前記裏ラペル、表ラペル、表衿、裏衿に予め付された各型紙の基準縫い目線に対して直交、又は平行に進めていき、
前記表身頃の裏面（Ａ）２と、前記裏衿の裏面（Ｂ）を縫い合わせた線▲１▼を衿付け止まりａより、ミシン目一針の２／３手前を縫い目止りｂとして、縫い止めしたあと、
前記手縫い糸イを予め３０ｃｍから５０ｃｍ通した前記針を前記衿付け止まりａより、前記表身頃の裏面（Ａ）２のみ抜き通し、
前記表ラペルの表面（Ｃ）のきざみ出来上り延長縫い目線上▲２▼の縫い目止まり印ｂより、一針の２／３先ｃ´のラペルに針を刺す点ｃより縫い代側表襟に針を刺す点ｄに向って、縫い目線上に対して直角に、一針の２／３先ｃ´へすくったあと、前記裏ラペルを回転させ、前記表衿の表面（Ｄ）を前記表ラペルの表面（Ｃ）方向に、更に逆転させ、前記表衿の裏面（Ｅ）が天を向くように置き、前記表衿の表面（Ｄ）の衿先をめくり返して、前記手縫い糸イが見えている状態で、前記表衿の表面（Ｄ）のきざみ出来上り線▲３▼の縫い目止まりｂより、一針の２／３先ｃ´の縫い代側表襟に針を刺す点ｄの方から出来上り線に向って、縫い目線ｄ´に対して直角にすくい、前記裏衿の表面（Ｆ）、表身頃の裏面（Ａ）２と裏衿の裏面（Ｂ）を縫い合わせた前記裏衿の裏面（Ｂ）を縫い合わせた線▲１▼上の縫い目止りｂの延長線上のえり側縫い目線▲４▼上で、縫い目止りｂに向って、外側から裏衿に針を刺す点ｅから内側へ裏衿に針を刺す点ｅの針先が出てくる点ｅ´の方向に縫い目線上に平行に一針縫い、前記表身頃の裏面（Ａ）２と前記裏衿の裏面（Ｂ）を縫い合わせた線▲１▼の前記衿付け止りａより、ミシン目一針の２／３手前で縫い止めした縫い目止りｂに向って、前記衿付き止りａから、一針の２／３外側から裏衿に針を刺す点ｅから内側の裏衿に針を刺す点ｅの針先が出てくる点ｅ´を通り、最後の縫い目止りｂに戻り、糸がからまないように、一針の２／３内側の裏衿に針を刺す点ｅの針先が出てくる点ｅ´から、前記針を刺し込んだあと、前記表衿と前記裏衿を中表に重ね合せ、前記手縫い糸イを横にすべらせて前記手縫い糸イをしごき、縫い目止りｂから針を刺し、最後に針先が出てくる点ｆに戻ってきた前記手縫い糸イをしっかり結び、前記手縫い糸イを所定長さ残して切り落し、前記縫い目線に添って平行に一針縫ったことを特徴とするテーラードジャケット衿刻み部の四つ止め縫い作業方法。
【請求項２】
請求項１に記載のテーラードジャケット衿刻み部の四つ止め  縫い作業方法で製作されたことを特徴とするテーラードジャケット。
【発明の詳細な説明】
【技術分野】
【０００１】テーラードジャケット衿刻み部の作業方法及びその作業方法で製作したテーラードジャケットに関する。
【背景技術】
【０００２】テーラー衿等の被服衿刻み部をきれいかっ丈夫にするために、被服衿刻み部を作成する際には、従来から四つ止め縫い方法が用られている。
【先行技術文献】
【特許文献】
【０００３】
【特許文献１】特許第３９０６３８７号登録公報
【０００４】
【非特許文献１】文化出版局  文化服装学院編  文化ファッション大系服飾造形講座▲４▼  スーツ、ベスト  ７６ページ
【発明の概要】
【発明が解決しようとする課題】
【０００５】被服衿刻み部を作成する際の四つ止めとは、テーラードジャケットの衿とラペルの縫い合わせ先（きざみ）部分、裏ラペル、表ラペル、表衿、裏衿の四ヶ所をしっかり止め合わせて、作業的、かつ見た目にも、丈夫にしっかり締めた状態となる服作りの重要なポイントである。しかし、従来その説明は目安となる寸法的な約束事がなく難しい個所として敬遠されがちである。
【課題を解決するための手段】
【０００６】本発明は、婦人テーラードジャケットの型紙を作成し、えりと身頃続きの見返し線からなる、折り返して表現するテーラーカラーはデザインとしては、テーラードジャケットの顔ともいうべき大切な個所である。好み、体格、生地、流行等を考慮してどの様な雰囲気を出すか、楽しみながら引く線でもある。そのポイントとなる四ツ止め部分を美しく仕上げる為に、布地をすくう寸法、針を運ぶ順番、えりとラペル部分の縫い合わせ止りのつけ根印を１針（又は２／３針）縫い残すことによって本発明の四ツ止め作業が安定した美しい仕上がりとなることを特徴とした作業方法である。
言い換えれば、本発明は、表衿と裏衿と表ラペルと裏ラペルからなるテーラードジャケットの刻み部四ヶ所を手縫い糸イで止め合わせるテーラードジャケット衿刻み部の四つ止め縫い作業方法において、手縫い針は前記裏ラペル、表ラペル、表衿、裏衿に予め付された各型紙の基準縫い目線に対して直交、又は平行に進めていき、前記表身頃の裏面（Ａ）２と、前記裏衿の裏面（Ｂ）を縫い合わせた線▲１▼を衿付け止まりａより、ミシン目一針の２／３手前を縫い目止りｂとして、縫い止めしたあと、前記手縫い糸イを予め３０ｃｍから５０ｃｍ通した前記針を前記衿付け止まりａより、前記表身頃の裏面（Ａ）２のみ抜き通し、前記表ラペルの表面（Ｃ）のきざみ出来上り延長縫い目線上▲２▼の縫い目止まりｂより、一針の２／３先ｃ´の表ラペルに針を刺す点ｃより縫い代側表襟に針を刺す点ｄに向って、縫い目線上に対して直角に、一針の２／３先ｃ´へすくったあと、前記裏ラペルを回転させ、前記表衿の表面（Ｄ）を前記表ラペルの表面（Ｃ）方向に、更に逆転させ、前記表衿の裏面（Ｅ）が天を向くように置き、前記表衿の表面（Ｄ）の衿先をめくり返して、前記手縫い糸イが見えている状態で、前記表衿の表面（Ｄ）のきざみ出来上り線▲３▼の縫い目止まりｂより、一針の２／３先ｃ´の縫い代側表襟に針を刺す点ｄの方から出来上り線に向って、縫い目線ｄ´に対して直角にすくい、前記裏衿の表面（Ｆ）、表身頃の裏面（Ａ）２と裏衿の裏面（Ｂ）を縫い合わせた前記裏衿の裏面（Ｂ）を縫い合わせた線▲１▼上の縫い目止りｂの延長線上のえり側縫い目線▲４▼上で、縫い目止りｂに向って、外側から裏衿に針を刺す点ｅから内側へ裏衿に針を刺す点ｅの針先が出てくる点ｅ´の方向に縫い目線上に平行に一針縫い、前記表身頃の裏面（Ａ）２と前記裏衿の裏面（Ｂ）を縫い合わせた線▲１▼の前記衿付け止りａより、ミシン目一針の２／３手前で縫い止めした縫い目止りｂに向って、前記衿付き止りａから、一針の２／３外側から裏衿に針を刺す点ｅから内側の裏衿に針を刺す点の針先が出てくる点ｅ´を通り、最後の縫い目止りｂに戻り、糸がからまないように、一針の２／３内側の裏衿に針を刺す点の針先が出てくる点ｅ´から、前記針を刺し込んだあと、前記表衿と前記裏衿を中表に重ね合せ、前記手縫い糸イを横にすべらせて前記手縫い糸イをしごき、縫い目止りｂから針を刺し、最後に針先が出てくる点ｆに戻ってきた前記手縫い糸イをしっかり結び、前記手縫い糸イを２センチから３センチ残して切り落し、前記縫い目線に添って平行に一針縫ったことを特徴とするテーラードジャケット衿刻み部の四つ止め縫い作業方法とその作業方法で製作されテーラードジャケットに関する。
【発明の効果】
【０００７】上記作成方法により、テーラードカラー等の被服衿刻み部をきれいで、かつ丈夫に、被服衿刻み部を作成することが可能となった。すなわち、手縫い針は、その縫い目線に対して直角、水平に進めていき、その針は、表には出てこない縫い代側から、仕上線の方向に、又は、その逆になる仕上線上から縫い代側へ進めていく為に生地への負担が解消され、図４に示す様に本発明の特徴とする縫い目線に対して、縫い目止りからその内側に向かって、１針平行にすくう（針を運ぶことによって）ことによって、生地の表側には糸の縫い目は出てこない。よって、しわ、つりが出てこない、美しく、しかも丈夫な四ツ止がスピーディーに作成できる。
針は縫い目線に対して直角、又は水平に進めていきその順番と、布地をすくう寸法を明確に定め、気持ちの迷いもなく、スピーディーに作成することによって作業そのものの仕上がりも美しく、すっきりと出来るものであってその作業に対しての自信が、仕事へ反映されることになる。
【図面の簡単な説明】
【０００８】
【図１】本発明に係る裏衿と裏ラペルの縫い合わせ状況を示す説明図で図（１ａ）は、裏ラペルと裏衿の裏側に、表ラペルと表衿を重ね合せた状況を示す図で、図（１ｂ）は、図（１ａ）に図示のラペルと衿を縫い合わせ状況を示す図である。
【図２】本発明に係る表衿と表ラペルの縫い合わせた状況を示す説明図、
【図３】図２に図示の表衿と表ラペルの縫い合わせを回転させて、表衿の表面を逆転させた状況を示す説明図、
【図４】本発明に係る裏衿と表身頃の表面を縫い合わせ状況を示す説明図，
【図５】図１を反転させた裏衿と裏ラペルの縫い合わせ状況を示す説明図、図（５ａ）は、表身頃の裏面を示し、図（５ｂ）は図１と図２を中表に重ね合せた状況を示す説明図である。
【発明を実施するための形態】
【０００９】本発明に係る具体的事例を図１から図５を参照して、以下詳細に説明する。
本発明において、手縫い針は裏ラペル、表ラペル、表衿、裏衿に予め付された各型紙の基準縫い目線に対して直交、又は平行に進めていき、ラペルの裏面と、衿の裏面を縫い合わせた線を衿付け止まりより、ミシン目一針の２／３手前で縫い止めすことにより、テーラードジャケット衿刻み部のシワと引きつり・ほつれがなくなり、きれいに仕上げることが可能になった。針に手縫い糸イを予め３０ｃｍから５０ｃｍ通したことにより、３０ｃｍ以下では、作業がしづらく、５０ｃｍ以上では、糸が絡み易くなり、作業がし難い不具合を解消出来た。
【実施例】本実施例では、図１ａに図示するように、表身頃を構成する（裏面）（Ａ）と裏衿（裏面）（Ｂ）を縫い合わせた線▲１▼は、衿付け止まりに針を刺す点ａより、ミシン目（ミシン目一針を０，２センチとして）２／３縫い目止りｂの手前で縫い止める。同じ要領で、表ラペル（表面）Ｃと、表衿（表面）Ｄを中表に重ね合せて、準備する。次に、図１ｂに図示するように、衿付け止まりに針を刺し込む点ａより手縫い糸イ（本実施例では、縫い糸６０番又は絹糸５０番を使用したが、使用する生地によってその太さは変わってくる）を３０センチ位通した針を上記（Ａ）のみ抜き通す。
延長縫い目線上▲２▼でｂより２／３針先ｃより縫い代側表襟に針を刺す点ｄに向って、縫い目線上に対して９０°に２／３針ｃ´へすくう。
次に、図３に図示するように、図２から図３へ移る時、身頃を水平に１８０°回転させ、手前にある表衿（表面）（Ｄ）を表ラペル（表面）（Ｃ）の方向に、更に、垂直に手前から向こう側に逆転させ、表衿（裏面）（Ｅ）が、天を向くように置き、また、表衿（表面）（Ｄ）の衿先をめくり返して、表ラペルに針を刺す点ｃ、ｃ´の糸が見えている状態で上記（Ｄ）のきざみ出来上り線▲３▼の縫い目止りｂより２／３針先の表衿に針を刺す点の針先が出てくる点ｄ´で、表衿に針を刺す点ｄから出来上り線に向って、縫い目線に対して９０°にすくう。
また、図４に図示するように、裏衿（表面）（Ｆ）の表身頃と裏衿の表面から見た縫い合せ線▲４▼で縫い目止りｂより、２／３針外側ｅからｅ´の出来上がり線に平行に２／３針縫う。
加えて、図５ａに図示するように、ａ（図１で衿付け止まりに針を刺し込んだ点）の２／３針横の▲１▼の縫い目止りｂに向ってｅ´から縫い目止りｂに針を刺し、最後に針先が出てくる点ｆに針を刺し込む。この時、衿付け止りを示す点ａから最後のｅ´に針先が出てくる点ｆに戻り、糸がからまないように確認する。図５に図示するように表衿と裏衿を中表に重ね合せ、手縫い糸イを引き寄せながらスルスルと横にすべらせて糸しごきをする。
最後に、図５ｂに図示するように、衿付け止まり針を刺し込む点に、衿付け止りを示す点ａから出て、ｂに戻ってきた糸ｆをしっかり結び、その糸を３センチ位残して切り落す。図４で縫い目線に添って平行に一針縫ったことで「四つ止め縫い」となる。  製図線に添ってその線を基準とし針を９０°又は平行に進める事によって、布目に抵抗なく美しく、丈夫な「四つ止め縫い」になる。【００１０】
【産業上の利用可能性】
【００１１】本発明は、テーラードカラーのみならずショールカラー、スタンドカラー、ほか、袖のカフスの折り返りスリット等それぞれの止まりの部分に応用でき、専門性を有する洋裁職人増加の一助に繋がる。
【符号の説明】
【００１２】（Ａ）・・・・表身頃
（Ａ）１・・・表身頃の表面
（Ａ）２・・・表身頃の裏面
（Ｂ）・・・・裏衿
（Ｂ）１・・・裏衿の表面
（Ｂ）２・・・裏衿の裏面
（Ｃ）・・・・見返し（ラペル）
（Ｃ）１・・・見返しの表面
（Ｃ）２・・・見返しの裏面
（Ｄ）・・・・表衿
▲１▼・・・・・縫い合わせた線
▲２▼・・・・・きざみ出来上り延長縫い目線上
▲３▼・・・・・きざみ出来上り線
▲４▼・・・・・延長線上のえり側縫い目線
イ・・・・・・手縫い糸
ａ・・・・・・衿付け止りを示す点
ｂ・・・・・・縫い目止り
ｃ・・・・・・表ラペルに針を刺す点
ｃ´・・・・・一針の２／３先
ｄ・・・・・・表衿に針を刺す点
ｄ´・・・・・表衿に針を刺す点の針先が出てくる点
ｅ・・・・・・裏衿に針を刺す点
ｅ´・・・・・裏衿に針を刺す点の針先が出てくる点
ｆ・・・・・・縫い目止りｂから針を刺し、最後に針先が出てくる点
【図１】
2015057523.tif 000003
【図２】
2015057523.tif 000004
【図３】
2015057523.tif 000005
【図４】
2015057523.tif 000006
【図５】
2015057523.tif 000007